【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
少なくとも９０％の飽和度を有し、グループＩＩの基油、グループＩＩＩの基油、グループＩＶの基油およびグループＶの基油ならびにこれらの混合物から選択される、主要量の基油および少量の添加剤パッケージを含んでなる潤滑油であって、該添加剤パッケージが、
（Ａ）
（ａ）式ＩＶ：
【化１】
2014122343.tif 000001
［式中、Ｒは約８〜約２２個の炭素原子をもつ、直線状もしくは分枝状の、飽和、不飽和、または一部飽和ヒドロカルビル基である］
の化合物の、
（ｉ）１種以上のアルコール、
（ｉｉ）１種以上のアミンアルコール、
（ｉｉｉ）式Ｖ：
【化２】
2014122343.tif 000002
［式中、Ｒ2、Ｒ3およびＲ4は独立に、水素、Ｃ1〜Ｃ18ヒドロカルビル基並びにＣ3〜Ｃ12ヒドロカルビル基および１個以上のヘテロ原子を含む炭化水素、から選択される］の１種以上のアミン、または
（ｉｖ）アルカリ金属の水酸化物、アルカリ土類金属の水酸化物、アルカリ金属の酸化物、アルカリ土類金属の水酸化物、アンモニア、アミンまたはそれらの混合物：
との１種以上の反応生成物、ここで、該反応生成物は塩の形態にある、並びに
（ｂ）式ＩＩ〜ＩＩＩ：
【化３】
2014122343.tif 000003
［式中、Ｒは約８〜約２２個の炭素原子をもつ、直線状もしくは分枝状の、飽和、不飽和、または一部飽和ヒドロカルビルであり、そしてＲ2とＲ3は独立に、水素、Ｃ1〜Ｃ18ヒドロカルビル基および、１個以上のヘテロ原子を含むＣ1〜Ｃ18ヒドロカルビル基から選択される］；
【化４】
2014122343.tif 000004
［式中、Ｒは約８〜約２２個の炭素原子をもつ、直線状もしくは分枝状の、飽和、不飽和、または一部飽和ヒドロカルビルであり、そしてＸはアルカリ金属、アルカリ土類金属またはアンモニウムのカチオンであり、そしてｎはカチオンＸの原子価である］；
の１種以上の化合物：
から選択される摩擦修正剤成分、並びに
（Ｂ）少なくとも１種の金属含有清浄剤：
を含んでなる、エンジン油。
【請求項２】
添加剤パッケージが、式ＩＶの化合物とのアルコールの、少なくとも１種の反応生成物を含んでなる、請求項１のエンジン油。
【請求項３】
式ＩＶの化合物とのアルコールの、１種以上の反応生成物が、式Ｉ：
【化５】
2014122343.tif 000005
［式中、Ｒは約８〜約２２個の炭素原子をもつ、直線状もしくは分枝状の、飽和、不飽和、または一部飽和ヒドロカルビルであり、そしてＲ1は水素、約１〜約８個の炭素原子をもつヒドロカルビルまたは、１個以上のヘテロ原子を含むＣ1〜Ｃ8ヒドロカルビル基である］の１種以上の化合物を含んでなる、請求項２のエンジン油。
【請求項４】
添加剤パッケージが式ＩＩの１種以上の化合物を含んでなる、請求項１のエンジン油。
【請求項５】
添加剤パッケージが式ＩＩＩの少なくとも１種の塩を含んでなる、請求項１のエンジン油。
【請求項６】
添加剤パッケージが、式ＩＶの１種以上の化合物とのアルコールの反応生成物、および式ＩＩ〜ＩＩＩの化合物、から独立に選択される、少なくとも２種の異なる化合物を含んでなる、請求項１のエンジン油。
【請求項７】
Ｒ1が約１〜約８個の炭素原子をもつヒドロカルビル基である、請求項３および６のいずれか１項のエンジン油。
【請求項８】
Ｒ1が１個以上のヘテロ原子を含むＣ1〜Ｃ8ヒドロカルビル基を含むヒドロカルビル基である、請求項３および６のいずれか１項のエンジン油。
【請求項９】
Ｒ2とＲ3が独立に、水素、Ｃ1〜Ｃ18ヒドロカルビル基および、１個以上のヘテロ原子を含むＣ1〜Ｃ18ヒドロカルビル基、から選択される、請求項４および６のいずれか１項のエンジン油。
【請求項１０】
Ｒ2とＲ3が独立に、水素およびＣ4〜Ｃ8ヒドロカルビル基から選択される、請求項４および６のいずれか１項のエンジン油。
【請求項１１】
式ＩＩＩの１種以上の化合物が、ナトリウム、リチウム、カリウム、カルシウム、マグネシウムおよびアミンから選択される１個以上のカチオンの塩である、請求項５および６のいずれか１項のエンジン油。
【請求項１２】
摩擦修正剤が式ＩＶの化合物と１種以上のアミンアルコールとの１種以上の反応生成物を含んでなる、請求項１のエンジン油。
【請求項１３】
摩擦修正剤が式ＩＶの化合物と１種以上のアミノアルコールとの１種以上の反応生成物を含んでなる、請求項１のエンジン油。
【請求項１４】
摩擦修正剤が式ＩＶの化合物と式Ｖの１種以上のアミンとの１種以上の反応生成物を含んでなる、請求項１のエンジン油。
【請求項１５】
摩擦修正剤が式ＩＶの化合物と、アルカリ金属の水酸化物、アルカリ土類金属の水酸化物、アルカリ金属の酸化物、アルカリ土類金属の水酸化物、アンモニア、アミンまたはそれらの混合物、との１種以上の反応生成物を含んでなり、その反応生成物が塩の形態にある、請求項１のエンジン油。
【請求項１６】
Ｒが約１０〜約２０個の炭素原子を有する、請求項１〜１５のいずれか１項のエンジン油。
【請求項１７】
Ｒが約１２〜約１８個の炭素原子を有する、請求項１〜１５のいずれか１項のエンジン油。
【請求項１８】
添加剤パッケージが更に、抗酸化剤、消泡剤、モリブデン含有化合物、チタン含有化合物、リン含有化合物、粘度指数向上剤、流動点降下剤、および希釈油よりなる群から選択される少なくとも１種の添加剤を含んでなる、請求項１〜１７のいずれか１項のエンジン油。
【請求項１９】
少なくとも１種の清浄剤が２種以上の清浄剤を含んでなる、請求項１〜１８のいずれか１項のエンジン油。
【請求項２０】
第１の清浄剤が４０〜４５０の総塩基価をもち、また第２の清浄剤が８０までの総塩基価をもつ、請求項１９のエンジン油。
【請求項２１】
少なくとも１種の清浄剤がスルホネート、フェナートまたはサリチレートを含んでなる、請求項１〜２０のいずれか１項のエンジン油。
【請求項２２】
少なくとも１種の清浄剤がスルホン酸カルシウム、スルホン酸マグネシウム、スルホン酸ナトリウム、カルシウムフェナート、ナトリウムフェナート、サリチル酸カルシウムおよびサリチル酸ナトリウムから選択される少なくとも１種の化合物を含んでなる、請求項１〜２０のいずれか１項のエンジン油。
【請求項２３】
少なくとも１種の清浄剤が、その金属がアルカリ金属およびアルカリ土類金属よりなる群から選択される金属塩を含んでなる、請求項１〜２０のいずれか１項のエンジン油。
【請求項２４】
少なくとも１種の清浄剤の総塩基価が約４５０までである、請求項１〜２３のいずれか１項のエンジン油。
【請求項２５】
少なくとも１種の清浄剤の総塩基価が約８０〜約３５０である、請求項１〜２３のいずれか１項のエンジン油。
【請求項２６】
少なくとも１種の清浄剤が、エンジン油の総重量の約０．１重量％〜約１０重量％を含んでなる、請求項１〜２５のいずれか１項のエンジン油。
【請求項２７】
請求項２６のエンジン油を使用してエンジンを潤滑する工程を含んでなる、エンジン内の薄膜摩擦および境界層摩擦を改善する方法。
【請求項２８】
改善される薄膜および境界層の摩擦が、１種以上の摩擦修正剤成分の不存在下における同一組成物に関連して決定される、請求項２７に請求される方法。
【請求項２９】
請求項２６のエンジン油を使用してエンジンを潤滑する工程を含んでなる、エンジン内の境界層の摩擦を改善する方法。
【請求項３０】
改善される境界層の摩擦が、１種以上の摩擦修正剤成分の不存在下における同一組成物に関連して決定される、請求項２９に請求される方法。
【請求項３１】
請求項２６のエンジン油を使用してエンジンを潤滑する工程を含んでなる、エンジン内の薄膜の摩擦を改善する方法。
【請求項３２】
改善される薄膜の摩擦が、１種以上の摩擦修正剤成分の不存在下における同一組成物に関連して決定される、請求項３１に請求される方法。